(57)【要約】【課題】  コンクリート建屋内の天井面等に配管等を支持するために使用する埋込金物をコンクリート層内に埋め込む際に、コンクリート内の障害物とスタッドジベルとの接触を回避するように埋設できるジベル後入れ型埋込金物を提供する。【解決手段】  コンクリート建屋のコンクリート層内に埋設するプレート１２に設置するジベル規定数より多い複数の取付孔１６を穿孔する。前記取付孔１６に挿入するスタッドジベル１４を前記プレート１２に取り付ける際、コンクリート内の障害物と接触しない取付孔１６に前記スタッドジベル１４を締結手段によって固着して、コンクリート層中に埋設した障害物とスタッドジベル１４との接触を回避するようにすればよい。この場合において、テーパ付取付孔にスタッドジベルを用いて鉄筋との接触を回避するようにしてもよい。【選択図】    図１ 
2005133360.tif 000002
【特許請求の範囲】
【請求項１】
コンクリート建屋のコンクリート層内に埋設するプレートと、前記プレートに取り付けるジベルと、前記プレートに設置するジベル規定数より多く穿孔した複数の取付孔を形成してなることを特徴とするジベル後入れ型埋込金物。
【請求項２】
コンクリート建屋のコンクリート層内に埋設するプレートと、前記プレートに取り付けるジベルと、前記プレートを穿孔しテーパが形成された取付孔と、前記取付孔に嵌合するテーパが形成され前記ジベルの抜け止めとなるプラグとからなるジベル後入れ型埋込金物において、前記取付孔を前記プレートに設置するジベル規定数より多く形成してなることを特徴とするジベル後入れ型埋込金物。
【請求項３】
不要の前記取付孔に閉塞手段を備えたことを特徴とする請求項１、２記載のジベル後入れ型埋込金物。
【発明の詳細な説明】
【技術分野】
【０００１】
本発明は、コンクリート建屋内の天井面、壁面等に配管等を支持する際に用いるジベル後入れ型埋込金物に関する。
【背景技術】
【０００２】
従来、コンクリート建屋内において配管・電線等の重量物を建屋内の天井面あるいは壁面に支持する支持金具を固定するために埋込金物を用いている。
図６（１）に示すように、この埋込金物１は、矩形状に形成され取付孔２を有する金属プレート３にスタッドジベル４を溶接によって取り付けている。あるいは、引用文献１では埋込金物にＵ字上の定着部材を固定していることが開示されている。
【０００３】
この埋込金物１をコンクリート建屋に設置する場合は、図６（２）に示すように、あらかじめスタッドジベル４を溶接した埋込金物１をコンクリート建屋の設置箇所に設置しコンクリート層内に埋設される鉄筋５等に軽く固定した後、コンクリート６を打設して埋込金物１を埋設する。コンクリート６が固まった後、埋込金物１の設置位置を探し、コンクリート６を切り欠いて埋込金物１の取り付け面を露出させる。ついで、図示しない支持金具等を露出面に固定して、配管等を取り付けている。
【０００４】
図６（３）に示すように、コンクリート層内には鉄筋５が存在するため、埋込金物１のスタッドジベル４がこの鉄筋５と接触してしまう。建屋内において配管・電線等は設置箇所が指定されているため、これを支持する埋込金物１の取り付け箇所を変更することはできない。
したがって、スタッドジベル４とコンクリート層内の鉄筋５との接触から回避するために、スタッドジベル４を鉄筋に接触しない程度まで折り曲げて使用していた。
【特許文献１】実公昭６２−１３０２７９号公報
【発明の開示】
【発明が解決しようとする課題】
【０００５】
しかしながら、コンクリート層内で埋込金物を複数設置する際には、鉄筋と接触するスタッドジベルが多数存在し、かつスタッドジベルはある程度の強度を持たせているので折り曲げる作業は容易な作業ではない。よって、埋込金物の施工に多大な時間と労力を要するという問題が生じていた。
【０００６】
本発明は、コンクリート建屋内の天井面、壁面等に配管等を支持するために使用する埋込金物をコンクリート層内に埋め込む作業において、コンクリート層内の鉄筋とスタッドジベルとが接触する場合に、埋込金物の施工箇所を変更しないで、コンクリート中の鉄筋と接触しないように埋込金物を埋め込むことができるジベル後入れ型埋込金物を提供することを目的としている。
【課題を解決するための手段】
【０００７】
本発明に係るジベル後入れ型埋込金物によれば、コンクリート建屋のコンクリート層内に埋設するプレートと、前記プレートに取り付けるジベルと、前記プレートに設置するジベル規定数より多く穿孔した複数の取付孔を形成してある。
【０００８】
また、コンクリート建屋のコンクリート層内に埋設するプレートと、前記プレートに取り付けるジベルと、前記プレートを穿孔しテーパが形成された取付孔と、前記取付孔に嵌合するテーパが形成され前記ジベルの抜け止めとなるプラグとからなるジベル後入れ型埋込金物において、前記取付孔を前記プレートに設置するジベル規定数より多く形成してある。
この場合において、不要の前記取付孔に閉塞手段を備えるようにすればよい。
【発明の効果】
【０００９】
本発明のジベル後入れ型埋込金物によれば、コンクリート建屋のコンクリート層内に埋設するプレートと、前記プレートに取り付けるジベルと、前記プレートに設置するジベル規定数より多く穿孔した複数の取付孔を形成している。
【００１０】
したがって、プレートとスタッドジベルとが分離する構成となり、コンクリート中の鉄筋等の障害物と埋込金物のスタッドジベルとが接触する場合、障害物と接触しない位置の取付孔にスタッドジベルを取り付けることによって容易に接触を回避することができる。これにより、埋込金物の埋め込み指定箇所を変更することなく、指定箇所に埋込金物を施工することが可能となる。
【００１１】
また、コンクリート建屋のコンクリート層内に埋設するプレートと、前記プレートに取り付けるジベルと、前記プレートを穿孔しテーパが形成された取付孔と、前記取付孔に嵌合するテーパが形成され前記ジベルの抜け止めとなるプラグとからなるジベル後入れ型埋込金物において、前記取付孔を前記プレートに設置するジベル規定数より多く形成してある。
【００１２】
これにより、ストレートのスタッドジベルの替わりに曲げたスタッドジベルを用いてプレートに取り付ける際に、ジベルの締め付けによって生じる曲げジベル頭部の設定位置のずれをプラグの締め付け調整で容易に修正することができる。これにより、埋込金物の埋め込み指定箇所を変更することなく、指定箇所に埋込金物を施工することが可能となる。
【発明を実施するための最良の形態】
【００１３】
以下添付図面に従って、本発明に係るジベル後入れ型埋込金物の実施形態を説明する。なお、本発明は以下の実施形態のみに限定されるものではない。
図１は本実施形態に係るジベル後入れ型埋込金物の説明図である。図１に示すように、本発明に係るジベル後入れ型埋込金物１０は矩形形状のプレート１２とスタッドジベル１４とから構成されている。
【００１４】
埋込金物のプレートに設置するジベル本数はプレートの厚み、形状等により異なり取付数が規定されている。本実施形態ではプレート１２に設置するスタッドジベルの規定数を４本用いた場合について説明する。
【００１５】
プレート１２は四隅にスタッドジベル１４を挿入する基準穴となる取付孔１６ａ，１６ｂ，１６ｃ，１６ｄを有している。この取付孔１６の内周面は後述のスタッドジベル１４の雄ねじ部１４ａが螺合するように雌ねじ部を形成してある。また、プレート１２は、四隅の取付孔１６ａ，１６ｂ，１６ｃ，１６ｄの中間点となる位置に、ジベルの規定数より多い４つの取付孔１６ｅ，１６ｆ，１６ｇ，１６ｈを形成してある。
【００１６】
スタッドジベル１４は図１（２）に示すように、その先端部にプレート１２の厚み以下に相当する長さの雄ねじ部１４ａを形成してある。この雄ねじ部１４ａはプレート１２の取付孔１６の雌ねじ部と螺合する。また、スタッドジベル１４のもう一方の端部はジベル径よりも大径となる頭部１４ｂを形成してある。スタッドジベル１４の頭部１４ｂから雄ねじ部１４ａまでの円筒部１４ｃは埋込寸法ｃを有して形成されてある。なお、埋込寸法ｃおよび円筒部１４ｃの直径は、吊下荷重によって任意に設定される。
【００１７】
以上の構成により、ジベル後入れ型埋込金物１０の施工例について説明する。図２はプレートの施工箇所におけるコンクリート層の内側からの平面図である。コンクリート層内にジベル後入れ型埋込金物１０を設置する際、まずプレート１２を施工箇所に配置する。コンクリート層内に存在する鉄筋１８が図２（１）に示すように、プレート１２の取付孔１６ａ，１６ｂ，１６ｃ，１６ｄ上と接触しない場合は、通常プレート１２の四隅の取付孔１６ａ，１６ｂ，１６ｃ，１６ｄの雌ねじ部にスタッドジベル１４の雄ねじ部１４ａを螺合する。ついで、ジベル後入れ型埋込金物１０を鉄筋１８等に仮止めによって固定し、コンクリートを打設する。
【００１８】
一方、ジベル後入れ型埋込金物１０の施工箇所によっては図２（２）に示すように、プレート１２の取付孔１６ａ，１６ｂ，１６ｃ，１６ｄ上に鉄筋１８が存在する場合がある。このとき、プレート１２の取付孔１６ａの箇所ではスタッドジベル１４をプレート１２に螺合する際、鉄筋１８とスタッドジベル１４が接触してしまう。そこで鉄筋１８と接触するのを回避できる位置、例えば取付孔１６ｅの位置にスタッドジベル１４を螺合する。
【００１９】
次に本発明のジベル後入れ型埋込金物の第２実施形態について、図３を用いて説明する。図３に示すジベルは、プレート１２との固定手段にテーパを有するプラグを用いている。すなわち、第２実施形態のジベル後入れ型埋込金物は、止め栓型プラグ２０とテーパ型プラグ２２とスタッドジベル２４とから構成されている。また、プレート１２のテーパ付取付孔２６は、図３（２）に示すように、プレート１２を埋設するコンクリートの表面から内部に向かって縮径したテーパが形成されてある。
【００２０】
止め栓型プラグ２０の頭部２０ａはプレート１２のテーパ付取付孔２６の穴径と同径とし、側面に十字穴２０ｂを形成してある。また、止め栓型プラグ２０の雄ねじ部２０ｃは後述のスタッドジベル２４の雌ねじ部２４ａと螺合するように形成してある。
【００２１】
テーパ型プラグ２２は、図３（２）に示すように、プレート１２のテーパ付取付孔２６内のテーパに嵌合するようにその外周にテーパを形成してある。また、テーパ型プラグ２２の雌ねじ部２２ａは後述のスタッドジベル２４の雄ねじ部２４ｂと螺合するように形成されてある。また、テーパ型プラグ２２の大径側の側面には十字穴２２ｂが形成されてある。
【００２２】
スタッドジベル２４は端部にテーパ型プラグ２２の雌ねじ部２２ａと螺合する雄ねじ部２４ｂを形成してある。また、スタッドジベル２４の雄ねじ部２４ｂ内部には、止め栓型プラグ２０の雄ねじ部２０ｃと螺合する雌ねじ部２４ａが形成されてある。図３（３）に示すように、スタッドジベル２４とプレート１２とが接触する面にはプレート１２のテーパ付取付孔２６の開孔径よりも大径となるフランジ部２４ｃを形成してある。スタッドジベル２４は円筒部がストレートに形成されたものと、図３（１）に示すように、円筒部２４ｄが曲線を有するように形成したものとがある。この円筒部２４ｄの長さは前述スタッドジベル１４の埋込寸法ｃと同一になるように形成する。また、スタッドジベル２４のもう一方の端部にはジベル径よりも大径となるように頭部２４ｅを形成してある。
【００２３】
プレート１２にジベルを固定する場合、図３（２）に示すようにテーパ型プラグ２２のみを用いることにより固定することができる。しかし、プレート１２は複数の厚みが設定されているので、図３（３）に示すようにテーパ型プラグ２２の厚みよりもプレート１２の厚みが大きい場合がある。この場合、止め栓型プラグ２０を用いることによりテーパ付取付孔２６とテーパ型プラグ２２との間で生じる凹部を埋めてプレート１２のツラ位置を合わせる。
【００２４】
以上の構成により、スタッドジベル２４を用いた埋込金物の施工例について説明する。図４（１）はプレートの施工箇所におけるコンクリート層の内側からの平面図である。図４（２）は図４（１）のＡ−Ａ線の断面図である。図４に示すように、プレート１２のテーパ付取付孔２６が鉄筋１８と接触しないテーパ付取付孔２６ｂ，２６ｃ，２６ｄ上ではストレートのスタッドジベル２４ｆを用いる。一方、開口上に鉄筋１８があるテーパ付取付孔２６ａでは曲げたスタッドジベル２４を用いて鉄筋１８との接触を回避する。すなわち、曲げたスタッドジベル２４を鉄筋１８と接触しない箇所に設置し、取付孔の反対側からテーパ型プラグ２２を螺合させて曲げたスタッドジベル２４をプレート１２に固定する。このとき、図４（２）に示すように、テーパ付取付孔２６とテーパ型プラグ２２とは摺動可能なので締め付けによって曲げたスタッドジベル２４が位置ずれして鉄筋１８に接触することがあっても鉄筋１８との接触を回避するように容易に修正することができる。さらに、テーパ型プラグ２２をプレートに取り付けた後、プレート１２との間で凹部が生じたとき、止め栓型プラグ２０をスタッドジベル２４に螺合してプレート１２の凹部を補正してツラ位置を合わせる。
【００２５】
さらに、図５に示すように、スタッドジベル２４を使用しないテーパ付取付孔２６は、後付けで閉塞するようにしてもよい。すなわち、外蓋３０は内部に雌ねじ部を形成し、テーパ付取付孔２６に嵌合するように形成してある。また、内蓋３２は外蓋３０の雌ねじ部に螺合する雄ねじ部を有し、その頭部３２ａはテーパ付取付孔２６の開口よりも大きく形成してある。
【００２６】
この構成により、プレートに設置するジベル規定数より多く穿孔した複数の取付孔のうち、ジベルが取り付けられていない取付孔に対し、コンクリート表層側から外蓋３０をプレート１２のテーパ付取付孔２６に嵌合し、ついでコンクリート層の内側から内蓋３２の雄ねじ部を外蓋３０の雌ねじ部に螺合して閉塞することが可能となる。
【図面の簡単な説明】
【００２７】
【図１】本発明に係るジベル後入れ型埋込金物の説明図である。
【図２】本発明に係るジベル後入れ型埋込金物の施工図である。
【図３】本発明に係るジベル後入れ型埋込金物の第２実施形態の説明図である。
【図４】本発明に係るジベル後入れ型埋込金物の第２実施形態の施工図である。
【図５】不要の取付孔を閉塞する実施例を示す図である。
【図６】従来の埋込金物の施工例を示す図である。
【符号の説明】
【００２８】
１………埋込金物、２………取付孔、３………プレート、４………スタッドジベル、５………鉄筋、６………コンクリート、１０………ジベル後入れ型埋込金物、１２………プレート、１４………スタッドジベル、１６ａ，１６ｂ，１６ｃ，１６ｄ，１６ｅ，１６ｆ，１６ｇ，１６ｈ………取付孔、１８………鉄筋、２０………止め栓型プラグ、２２………テーパ型プラグ、２４………スタッドジベル、２６………テーパ付取付孔、３０………外蓋、３２………内蓋。
【図１】
2005133360.tif 000003
【図２】
2005133360.tif 000004
【図３】
2005133360.tif 000005
【図４】
2005133360.tif 000006
【図５】
2005133360.tif 000007
【図６】
2005133360.tif 000008